(57)【特許請求の範囲】
【請求項１】
再生部と、制御部と、を備えるカラオケ装置であって、
前記再生部は、楽曲情報とお手本情報を再生可能とし、
前記制御部は、楽曲再生処理と、歌唱補助処理とを実行し、
前記楽曲再生処理は、ユーザから指定された楽曲に対応する楽曲情報と、当該楽曲情報に対応するお手本情報を前記再生部に再生させ、
前記歌唱補助処理は、マイクロホンから入力される歌唱音声情報と、再生中の楽曲に対応する基準情報とを対比し、所定区間毎に区間評価情報を算出し、算出された区間評価情報が所定条件を満たしていない場合、お手本情報を他のお手本情報に変更し、当該区間評価情報に対応する区間を再度再生する
カラオケ装置。
【請求項２】
お手本情報は、ユーザの歌唱を録音することで得られた投稿情報である
請求項１に記載のカラオケ装置。
【請求項３】
お手本情報には、各区間に区間評価情報が付与されており、
前記歌唱補助処理は、算出された区間評価情報が所定条件を満たしていない場合、当該区間について、算出された区間評価情報よりも良好な区間評価情報を有する他のお手本情報に変更する
請求項１または請求項２に記載のカラオケ装置。
【請求項４】
ユーザから指定された楽曲に対応する楽曲情報と、当該楽曲情報に対応するお手本情報を再生部に再生させる楽曲再生処理と、
マイクロホンから入力される歌唱音声情報と、再生中の楽曲に対応する基準情報とを対比し、所定区間毎に区間評価情報を算出し、算出された区間評価情報が所定条件を満たしていない場合、お手本情報を他のお手本情報に変更し、当該区間評価情報に対応する区間を再度、再生する歌唱補助処理と、を情報処理装置に実行させる
カラオケプログラム。
【請求項５】
カラオケ装置と、サーバ装置と、を備えたカラオケシステムであって、
前記カラオケ装置は、再生部と、制御部と、を備え、
前記再生部は、楽曲情報とお手本情報を再生可能とし、
前記制御部は、楽曲再生処理と、歌唱補助処理とを実行し、
前記楽曲再生処理は、ユーザから指定された楽曲に対応する楽曲情報と、当該楽曲情報に対応するお手本情報を前記再生部に再生させ、
前記歌唱補助処理は、マイクロホンから入力される歌唱音声情報と、再生中の楽曲に対応する基準情報とを対比し、所定区間毎に区間評価情報を算出し、算出された区間評価情報が所定条件を満たしていない場合、お手本情報を、前記サーバ装置から受信した他のお手本情報に変更し、当該区間評価情報に対応する区間を再度再生する
カラオケシステム。
【発明の詳細な説明】
【技術分野】
【０００１】
本発明は、楽曲の自動演奏に合わせて歌唱を楽しむことのできるカラオケ装置、カラオケプログラム、及び、カラオケシステムに関する。特に、歌唱評価を行うことのできるカラオケ装置、カラオケプログラム、及び、カラオケシステムに関する。
【背景技術】
【０００２】
従来、自動演奏に合わせて歌唱を楽しむことのできるカラオケが社交の場等において行われている。カラオケを行うことのできるカラオケ装置では、歌唱の技巧を競うことを目的とした採点機能を備えたものがある。採点機能は、歌唱者の歌唱音声の音程と楽曲情報に規定されたメロディの音程とを比較することにより、歌唱の技巧を数値化して示すものである。通信機能を利用可能なカラオケ装置では、複数のユーザ間で採点結果の順位を競うことが行われている。ユーザ間で採点結果を競うことで、歌唱能力の向上に対する意欲向上が図られる。
【０００３】
一方、カラオケにおいては、歌唱能力の向上を図ることを目的として、歌唱補助を行うことが行われている。特許文献１には、このようなカラオケにおける歌唱補助として、模範ボーカル付きの楽曲を演奏する際に、当該楽曲の模範ボーカルの等級情報と、当該楽曲を歌唱する者の等級情報とを比較し、比較結果に基づいて当該楽曲の模範ボーカルを音響出力するか否かを決定するカラオケ装置が開示されている。特許文献１に開示されるカラオケ装置によれば、歌唱者のレベルに合わせた模範ボーカルを再生することが可能である。
【先行技術文献】
【特許文献】
【０００４】
【特許文献１】特開２００５−２４２２３８号公報
【発明の概要】
【発明が解決しようとする課題】
【０００５】
現在、出願人は、カラオケ装置において、歌唱評価機能を利用した新たな機能の開発を行っている。この機能では、楽曲を再生する際、区間毎に区間評価情報を算出し、算出された区間評価情報が所定条件を満たしたことを条件として、次の区間の再生が実行される。したがって、ユーザは、区間評価情報が所定条件を満たす（区間を上手く歌唱できる）まで、同じく区間の歌唱を継続して行うこととなる。
【０００６】
さらに出願人は、このような新たな機能において、楽曲の再生に同期してお手本情報を再生する歌唱補助を行うことが考えられる。歌唱者は、再生されるお手本情報を聴取しつつ歌唱することで、自己の歌唱の評価向上を図ることが可能となる。しかしながら、お手本情報が、自分の歌い方に適していない場合、歌唱の評価向上にならない、さらには、歌唱の障害となることが考えられる。特に、お手本情報として録音された音声情報を使用した場合、お手本情報の歌い方や声質は、自己の歌い方に対する適否に大きく影響を及ぼすこととなる。
【０００７】
このように、上述する機能において、お手本情報を再生する歌唱補助を行った場合、本来、歌唱補助を行うお手本情報の再生が、歌唱の障害となった場合、区間評価情報が所定条件を満たすことなく、何度も同じ区間を歌唱しなくてはならない場合がある。本発明は、このような状況を鑑みたものであり、歌唱評価機能を利用した新たな機能において、ユーザにあった適切な歌唱補助を行うことを目的とするものである。
【課題を解決するための手段】
【０００８】
そのため、本発明に係るカラオケ装置は以下の構成を採用するものである。
再生部と、制御部と、を備えるカラオケ装置であって、
前記再生部は、楽曲情報とお手本情報を再生可能とし、
前記制御部は、楽曲再生処理と、歌唱補助処理とを実行し、
前記楽曲再生処理は、ユーザから指定された楽曲に対応する楽曲情報と、当該楽曲情報に対応するお手本情報を前記再生部に再生させ、
前記歌唱補助処理は、マイクロホンから入力される歌唱音声情報と、再生中の楽曲に対応する基準情報とを対比し、所定区間毎に区間評価情報を算出し、算出された区間評価情報が所定条件を満たしていない場合、お手本情報を他のお手本情報に変更し、当該区間評価情報に対応する区間を再度再生する。
【０００９】
さらに、本発明に係るカラオケ装置において、
お手本情報は、ユーザの歌唱を録音することで得られた投稿情報である。
【００１０】
さらに、本発明に係るカラオケ装置において、
お手本情報には、各区間に区間評価情報が付与されており、
前記歌唱補助処理は、算出された区間評価情報が所定条件を満たしていない場合、当該区間について、算出された区間評価情報よりも良好な区間評価情報を有する他のお手本情報に変更する。
【００１１】
また、本発明に係るカラオケプログラムは、
ユーザから指定された楽曲に対応する楽曲情報と、当該楽曲情報に対応するお手本情報を再生部に再生させる楽曲再生処理と、
マイクロホンから入力される歌唱音声情報と、再生中の楽曲に対応する基準情報とを対比し、所定区間毎に区間評価情報を算出し、算出された区間評価情報が所定条件を満たしていない場合、お手本情報を他のお手本情報に変更し、当該区間評価情報に対応する区間を再度、再生する歌唱補助処理と、を情報処理装置に実行させる。
【００１２】
また、本発明に係るカラオケシステムは、
カラオケ装置と、サーバ装置と、を備えたカラオケシステムであって、
前記カラオケ装置は、再生部と、制御部と、を備え、
前記再生部は、楽曲情報とお手本情報を再生可能とし、
前記制御部は、楽曲再生処理と、歌唱補助処理とを実行し、
前記楽曲再生処理は、ユーザから指定された楽曲に対応する楽曲情報と、当該楽曲情報に対応するお手本情報を前記再生部に再生させ、
前記歌唱補助処理は、マイクロホンから入力される歌唱音声情報と、再生中の楽曲に対応する基準情報とを対比し、所定区間毎に区間評価情報を算出し、算出された区間評価情報が所定条件を満たしていない場合、お手本情報を、前記サーバ装置から受信した他のお手本情報に変更し、当該区間評価情報に対応する区間を再度再生する。
【発明の効果】
【００１３】
本発明に係るカラオケ装置、カラオケプログラム、カラオケシステムによれば、が所定区間毎に算出される区間評価情報が所定条件を満たしていない場合、当該評価情報に対応する区間を再度再生する際、お手本情報を他のお手本情報に変更して再生することにより、歌唱するユーザに適したお手本情報を使用することが可能となる。自己に適したお手本情報を再生することで、歌唱するユーザは、再生されるお手本情報を参考に歌唱を楽しむことが可能となる。
【００１４】
さらに本発明に係るカラオケ装置、カラオケプログラム、カラオケシステムにおいて、お手本情報は、ユーザの歌唱を録音することで得られた投稿情報であることとしている。お手本情報として、ユーザから広く収集した投稿情報を使用する場合、投稿情報の歌唱方法は多様であることが考えられるため、歌唱するユーザに対する適、不適も顕著となることが予想される。このように、お手本情報に投稿情報を使用した場合、お手本情報を変更することにより、歌唱補助に関する効果はさらに期待できるものとなる。
【図面の簡単な説明】
【００１５】
【図１】本発明の実施形態に係るカラオケシステムの構成を示す図
【図２】本発明の実施形態に係るユーザ情報を示す図
【図３】本実施形態のユーザ情報の送受信を説明する図
【図４】本実施形態のアクティブユーザトップ画面を示す図
【図５】本実施形態の楽曲確認画面を示す図
【図６】本実施形態の楽曲情報、投稿情報のデータ構成を示す図
【図７】本実施形態の楽曲予約処理を示すフロー図
【図８】本実施形態の楽曲再生処理を示すフロー図
【図９】本実施形態の投稿再生処理を示すフロー図
【図１０】本実施形態の評価再生処理を示すフロー図
【図１１】本実施形態の評価再生処理の概要を説明するための模式図
【図１２】本実施形態の評価結果画面を示す図
【発明を実施するための形態】
【００１６】
図１は、本発明の実施形態に係るカラオケシステムの構成を示す図である。本実施形態におけるカラオケシステムは、カラオケ装置２（コマンダ）と、リモコン装置１を含んで構成されている。なお、図１に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００１７】
カラオケボックスなどの店舗に設置されるカラオケ装置２は、楽曲を演奏するための演奏部として音響制御部２５を備えている。また、カラオケ装置２は、ユーザからの各種入力を受け付ける操作部２１を備える。カラオケ装置２は、操作部２１からの入力を解釈してＣＰＵ３０に伝達する操作処理部２２を備える。また、カラオケ装置２は、各種情報を記憶する記憶部としてのＨＤＤ３２（ハードディスク）を備える。カラオケ装置２は、ＬＡＮ１００に接続してネットワークに加入する通信手段としてのＬＡＮ通信部２４を備えている。
【００１８】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果を付与する映像制御部３１を備えて構成される。
【００１９】
さらに、このカラオケ装置２では、外部に接続されるモニタ４１以外に、タッチパネルモニタ３３に対して各種情報を表示することを可能としている。タッチパネルモニタ３３は映像制御部３１から入力された映像情報を表示する表示部３５と、タッチ入力された位置を操作処理部２２に出力するタッチパネル３４が重畳されて構成されている。このタッチパネルモニタ３３は、カラオケ装置２の操作部、あるいは、リモコン装置１のタッチパネルモニタ１１などと同様、入力部として機能する。ユーザは、タッチパネルモニタ３３にて楽曲を選択することで、直接カラオケ装置２に予約をさせるなど、カラオケ装置２に対する各種操作を行うことが可能である。
【００２０】
さらに、カラオケ装置２は、各構成を統括して制御するためのＣＰＵ３０、各種プログラムを実行するにあたって必要となる情報を一時記憶するためのメモリ２７を備えて構成される。
【００２１】
このような構成にてカラオケ装置２は、各種処理を実行することとなるが、カラオケ装置２の主な機能として、楽曲予約処理、楽曲再生処理などを実行可能としている。楽曲予約処理は、ユーザからの指定に基づいて楽曲を指定、予約するための処理であってリモコン装置１と連携して実行される。ユーザの操作により、リモコン装置１などの入力部で指定された予約情報をメモリ２７中の予約テーブルに登録する。楽曲再生処理は、予約された楽曲を再生させる処理であって、楽曲演奏処理と歌詞再生処理とが同期して実行される処理である。
【００２２】
楽曲演奏処理は、楽曲情報に含まれる演奏情報に基づき、音響制御部２５に演奏を実行させる処理である。音響制御部２５にて演奏された楽曲は、マイクロホン４４ａ、４４ｂから入力される歌唱音声と一緒にスピーカ４２から放音される。歌詞再生処理は、楽曲情報に含まれる歌詞情報をモニタ４１に表示させることで歌唱補助を行う処理である。この歌詞再生処理で表示される歌詞に、背景映像を重畳させて表示させる背景映像表示処理を実行することとしてもよい。
【００２３】
カラオケ装置２には、歌唱の様子を撮影するための撮像手段としてカメラ４５が接続されている。カメラ４５からのカメラ映像は、映像入出力を担う映像制御部３１を介して、記録手段としてのＨＤＤ３２に記録、そして、モニタ４１にリアルタイム表示することが可能である。
【００２４】
一方、リモコン装置１は、歌唱する楽曲を選択する選曲処理を実行可能とし、予約情報などカラオケ装置２に対して各種指示を送信可能としている。また、リモコン装置１は、カラオケ装置２あるいはインターネット上に接続されたサーバ装置５から各種情報を受信し、ユーザに対して各種情報を提供することも可能である。本実施形態では、ユーザから各種指示を受け付けるユーザインターフェイスとして、操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００２５】
さらにリモコン装置１は、楽曲検索に必要とされるデータベース、各種プログラム、並びに、プログラム実行に伴って発生する各種情報を記憶する記憶部として、メモリ１４、そして、これら構成を統括して制御するためのリモコン側制御部を備えて構成される。リモコン側制御部には、ＣＰＵ１５、タッチパネルモニタ１１に対して表示する映像を形成する映像制御部１３、表示する映像情報を一時的に蓄えるビデオＲＡＭ１２、タッチパネルモニタ１１あるいは操作部１７からの入力を解釈してＣＰＵ１５に伝える操作処理部１８が含まれている。
【００２６】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００２７】
このようなリモコン装置１の構成により、ユーザからの各種入力をタッチパネルモニタ１１、あるいは、操作部１７から受付けるとともに、映像情報をタッチパネルモニタ１１の表示により各種情報を提供することで、カラオケ装置２に対して楽曲予約などの各種指示を行うことが可能とされている。
【００２８】
本実施形態のカラオケシステムは、リモコン装置１のタッチパネルモニタ１１から認証情報（後述するユーザ識別情報やパスワード）を入力することで、ログインすることが可能となっている。特に、本実施形態のカラオケシステムでは、複数のユーザをログインさせることが可能である。ログインしたユーザは、サーバ装置５にユーザ毎に記憶されたユーザ情報を利用して各種サービスを受けることが可能となる。
【００２９】
図２は、ユーザ毎にサーバ装置５に記憶されているユーザ情報を説明するための図である。本実施形態では、ユーザ情報として、個人情報、マイうたテーブル、マイアーティストテーブル、履歴テーブルといった、ユーザに関する各種情報を含んで構成される。ユーザ情報は、サーバ装置５の記憶部５１において記憶管理されている。ユーザ情報には、ユーザがログインするためのアカウント情報（ユーザ識別情報とパスワード）が含まれている。個人情報には、ユーザ名（実際の名前に限ったものでなく、ニックネームであってもよい）、性別、年齢、うた年齢などを含んで構成される。これら各種情報は、リモコン装置１、あるいは、インターネットなどのネットワークに接続された図示しないパーソナルコンピュータ、携帯情報端末などを使用し、ログインして設定することも可能である。
【００３０】
マイうたテーブルは、ユーザによって登録された楽曲を記憶するテーブルであって、楽曲識別情報、音高調整値などを含んで構成されている。ユーザは、このマイうたテーブルに基づいて、過去に登録したお気に入りの楽曲を呼び出して予約、演奏することが可能となる。その際、登録した音高調整値を利用することで、自分の歌唱にあった音高で演奏（再生）を行うこともできる。
【００３１】
マイアーティストテーブルは、ユーザによって登録されたアーティスト（歌手）を記憶するテーブルであって、歌手識別情報を含んで構成されている。ユーザは、このマイアーティストテーブルに基づいて、登録したお気に入りのアーティストの楽曲（持ち歌、あるいは、関連楽曲）を呼び出して予約、演奏することが可能となる。
【００３２】
履歴テーブルは、ユーザが過去に演奏した楽曲に関する各種情報を記録した情報であって、本実施形態では、過去に当該ユーザが予約することで演奏された楽曲について、楽曲の楽曲識別情報、演奏した日時を示す歌唱日時、歌唱時に行われた歌唱評価処理の結果である歌唱価情報などを含んで構成されている。ユーザは、この履歴テーブルに基づいて、過去に演奏した楽曲を呼び出して再度歌唱することが可能である。
【００３３】
図３は、このユーザ情報の送受信の様子を示した図である。カラオケ店舗に来店したユーザは、自己のユーザ識別情報とパスワードで構成された認証情報を入力、あるいは、リモコン装置１などに設けられたＩＣカードリーダでＩＣカードに記憶されている認証情報を読み取らせることで認証処理（Ｓ１０１）を実行する。カラオケ装置２あるいはリモコン装置１は、認証情報をサーバ装置５に送信し（Ｓ１０２）、認証情報を受信したサーバ装置５は記憶部５１に記憶されたデータベースから、該当するユーザのユーザ情報を抽出し（Ｓ１２１）、問い合わせのあったカラオケ装置２あるいはリモコン装置１に対して送信する（Ｓ１２２）。
【００３４】
ユーザ情報を受信したカラオケ装置２側では（Ｓ１０３）、受信したユーザ情報に基づいて、楽曲予約処理、楽曲再生処理など各種サービス処理を提供する（Ｓ１０４）。ユーザによりログアウトが要求される（Ｓ１０５）とサービス処理を中断し、サービス処理中に発生した各種履歴（ログ）、あるいは、ユーザによる設定変更を反映したユーザ情報をサーバ装置５に送信する（Ｓ１０６）。ここで、ユーザ情報は、全ての情報を送信することの他、更新された差分だけを送信してもよい。ユーザ情報を受信したサーバ装置５では（Ｓ１２３）、受信したユーザ情報に基づいて記憶部５１に記憶されたデータベースの更新を実行する（Ｓ１２４）。
【００３５】
以上、あるユーザが認証処理（ログイン処理）してから、ログアウトするまでの流れを説明したが、本実施形態のカラオケ装置２、リモコン装置１は、認証された複数人（認証ユーザ）が同時にログインした状態で使用することが可能となっている。ログインした複数のユーザは、リモコン装置１のタッチパネルモニタ１１等に表示されるユーザインターフェイスを用いることで、サービスを提供するユーザ（以下、「アクティブユーザ」という）を切り替えて使用することが可能となっている。
【００３６】
図４は、本実施形態のアクティブユーザトップ画面を示す図である。この図に示されるように、複数人がログインした状態ではログインユーザ欄１０３にログインしたユーザの分身像１０３ａ〜１０３ｅ（本実施形態では顔部分）が表示される。またログインユーザ欄１０３中、右端に背景がハイライト（白色）で示されるユーザは、アクティブユーザ１０３ｅ（Ａさん）であって、図に示す状態では、このアクティブユーザ１０３ｅに対するサービス、すなわち、アクティブユーザ１０３ｅのユーザ情報を利用したサービスが実行されている状態となっている。このアクティブユーザトップ画面では、「曲を探す」を選択することで、歌手名、楽曲名に基づく検索を行うことができる。
【００３７】
リモコン装置１のタッチパネルモニタ１１を使用して楽曲の指定が行われた場合、タッチパネルモニタ１１には、指定した楽曲の詳細を確認するための楽曲確認画面が表示される図５には、本実施形態の楽曲確認画面が示されている。アクティブユーザとして楽曲を選択した場合、この楽曲確認画面にて、予約を行う楽曲に間違いがないか、楽曲名、歌手名、歌い出しなどを表示してユーザに確認させる。本実施形態のカラオケ装置２は、歌唱後に録音した歌唱音声を投稿情報として投稿することが可能である。そのため、楽曲確認画面では、予約する楽曲に対し、オプションとして、投稿を行うか否かを設定することが可能となっている。オプション欄に表示されている変更ボタンを操作することで、投稿を行うか否か等、投稿に関する各種設定を行うことが可能である。
【００３８】
また、楽曲確認画面には、評価再生処理を行うか否かの採点設定欄が表示されている。図５の採点設定欄は「ＯＦＦ」表記の状態となっている。評価再生処理を行いたいユーザは、採点設定欄に表示されている変更ボタンを操作することで、評価再生処理を行う状態「ＯＮ」表記の状態に変更することが可能である。
【００３９】
図６（Ａ）には、本実施形態で使用する楽曲情報のデータ構成を示したものである。楽曲情報は、楽曲情報に関連する各種情報であるメタ情報と、演奏等、各種処理を実行する実情報を有している。メタ情報には、楽曲情報を識別するための楽曲識別情報、曲名、歌手名、作詞者名、作曲者名、区間情報を有している。区間情報は、演奏情報の時間進行に対応した区間を規定した情報である。区間は、演奏情報を所定時間毎に区切る形態の他、小節位置やひとまとまりのフレーズ位置で区切る形態など、各種形態を採用することが考えられる。
【００４０】
楽曲情報の実情報には、演奏情報、歌詞情報、基準音高情報、第１お手本情報、第２お手本情報が含まれている。演奏情報は、ＭＩＤＩ規格に基づいて電子楽器用の制御情報、あるいは、実際の演奏を録音した圧縮音声情報等で構成され、カラオケの伴奏音を演奏するための情報である。歌詞情報は、歌唱補助のため、演奏情報に同期して表示される情報であり、演奏に同期して表示された歌詞の色替えを行うように構成してもよい。基準音高情報は、歌唱評価処理（採点）に使用される情報であり、演奏情報と同様、ＭＩＤＩ規格に基づいて規定された制御情報である。この基準音高情報は、マイクロホン４４ａ、４４ｂから入力される歌唱音声信号の音高と比較する歌唱評価処理にも使用することが可能である。
【００４１】
第１お手本情報、第２お手本情報は、カラオケ業者側で用意した歌唱補助のための情報であり、プロの歌手の音声を録音した音声情報として構成される。本実施形態では、１つの楽曲について、２つのお手本情報が含まれており、お手本情報を変更して歌唱補助を行うことが可能となっている。楽曲を再生する際、第１お手本情報、第２お手本情報を合わせて再生することで、歌唱するユーザは、お手本となる歌唱を聴取しつつ歌唱を行うことが可能となる。お手本情報には、模範ボーカル（ガイドボーカル）の歌唱音声や、ガイドメロディとする主旋律のメロディ等を用いることが可能である。
【００４２】
図６（Ｂ）には、本実施形態の投稿情報のデータ構成が示されている。投稿情報は、投稿情報を識別するための投稿識別情報、投稿情報の作成に使用された楽曲を示す楽曲識別情報、歌唱音声情報、歌唱映像情報、歌唱時、歌唱処理を行うことで算出された評価情報を含んで構成されている。なお、本実施形態では、歌唱の様子を撮影した歌唱映像情報を含んでいるが、投稿情報は、歌唱音声情報のみを使用することとしてもよい。評価情報には、楽曲全体の評価である総合評価情報の他、楽曲情報中の区間情報で規定された区間毎の歌唱評価である区間評価情報ａ、ｂ、ｃ…を含んで構成されている。この区間評価情報を参照することで、投稿情報中の歌唱音声情報について、当該区間の歌唱の巧拙を判断することが可能である。
【００４３】
図７には、本実施形態の楽曲予約処理を示すフロー図が示されている。カラオケ装置２は、リモコン装置１などから予約情報を受け取った場合（Ｓ２０１：Ｙｅｓ）、受け取った予約情報を、カラオケ装置２のメモリ２７に記憶管理する予約テーブルに登録する（Ｓ２０２）。その際、予約情報中に歌唱評価の指定がある場合（Ｓ２０３：Ｙｅｓ）、予約した楽曲に対応する投稿情報をサーバ装置５からダウンロードする（Ｓ２０４）。このように本実施形態では、楽曲の再生前に、必要な投稿情報をダウンロードしておくことで、投稿情報のダウンロードを待つ必要が無く、迅速に楽曲の再生を開始することが可能となっている。本実施形態の評価再生処理では、ユーザの歌唱によって、複数の投稿情報を使用する場合がある。したがって、投稿情報をダウンロードする際には、予約した楽曲に対応する複数の投稿情報をサーバ装置５からダウンロードしておくことが好ましい。
【００４４】
なお、投稿情報の取得は、このように事前にダウンロード形態の他、投稿情報が必要となった場合に、サーバ装置５に要求してダウンロードすることとしてもよい。あるいは、楽曲再生時にサーバ装置５からストリーミング配信することとしてもよい。
【００４５】
図８には、本実施形態の楽曲再生処理を示すフロー図が示されている。楽曲再生処理が開始されると、カラオケ装置２内のメモリ２７に記憶している予約テーブルを参照し、次に再生させる楽曲の有無が判定される（Ｓ３０１）。予約テーブル中、次に再生させる楽曲がある場合（Ｓ３０２：Ｙｅｓ）、予約情報中に投稿指定がある場合（Ｓ３０３：Ｙｅｓ）には、カラオケ装置２は、投稿再生処理（Ｓ４００）を実行する。投稿再生処理は、歌唱時に歌唱音声を録音し、投稿情報としてサーバ装置５にアップロードする処理であり、アップロードされた投稿情報は、インターネットを介して広く公開することが可能である。本実施形態では、この投稿情報に含まれる歌唱声情報を、評価再生処理におけるお手本情報として使用することとしている。
【００４６】
一方、予約情報中に歌唱評価指定がある場合（Ｓ３０４：Ｙｅｓ）には、カラオケ装置２は、評価再生処理（Ｓ５００）を実行する。評価再生処理は、点数を算出する等の形態でユーザの歌唱評価を行う処理であり、本実施形態では、所定区間毎に区間評価情報を算出し、算出された区間評価情報が所定条件を満たしていない場合、再度、同じ区間を再生が行われる。ユーザは、所定条件を満たすまで同じ区間を何度も歌唱することで、当該区間の歌唱に習熟することが可能となる。
【００４７】
さらに、本実施形態の評価再生処理では、楽曲情報に含まれるお手本情報を合わせて再生する、あるいは、投稿情報に含まれる歌唱音声情報をお手本情報として合わせて再生することで、歌唱補助を行うこととしている。そして、再度、同じく間を再生する場合には、お手本情報を他のお手本情報に変更することで、歌唱補助の機能向上を図っている。ユーザによってはお手本情報が、自分の歌い方に適していない場合がある。特に、お手本情報として録音された音声情報を使用した場合、お手本情報の歌い方や声質は、自己の歌い方に対する適否に大きく影響することになる。さらに、お手本情報として、ユーザから広く収集した投稿情報をお手本情報に使用した場合、投稿情報の歌唱方法は多様であるため、歌唱するユーザに対する適、不適も顕著となることが予想される。したがって、本実施形態の評価再生処理では、区間で算出された所定条件を満たさなかった場合、再生しているお手本情報を他のお手本情報に変更することで、歌唱するユーザに適したお手本情報を使用して歌唱補助を行うことが可能となる。
【００４８】
一方、予約情報中に投稿指定、歌唱評価指定のどちらもない場合（Ｓ３０４：Ｎｏ）には、カラオケ装置２は、指定された楽曲情報を再生する通常の処理を実行する（Ｓ５０１）。楽曲情報の再生が終了した場合（Ｓ５０２：Ｙｅｓ）、楽曲再生処理の先頭に戻って次の楽曲の再生を実行する。
【００４９】
図９には、本実施形態の投稿再生処理（Ｓ４００）を示すフロー図が示されている。予約時に投稿指定された場合、この投稿再生処理（Ｓ４００）を実行する。投稿再生処理が開始すると、カラオケ装置２は、楽曲情報を再生開始する（Ｓ４０１）。その際、マイクロホン４４ａ、４４ｂから入力される歌唱音声を録音する録音処理と、マイクロホン４４ａ、４４ｂから入力される歌唱音声と、楽曲情報に含まれる基準音程情報を比較すること等によって、ユーザの歌唱を評価する歌唱評価処理を実行する（Ｓ４０２）。録音処理は、カメラ４５からの映像を録画し、歌唱音声情報に歌唱映像情報を合わせて記録する録画処理に代えることとしてもよい。
【００５０】
歌唱評価処理では、楽曲全体の歌唱評価である総合評価情報が算出される。また、この歌唱評価処理では、図６（Ｂ）の投稿情報のデータ構成で説明したように楽曲情報中の区間情報で規定された区間毎の歌唱評価である区間評価情報ａ、ｂ、ｃ…を算出する形態としてもよい。区間評価情報ａ、ｂ、ｃ…を算出した場合には、投稿情報をお手本情報として選択する場合の指標とすることが可能である。
【００５１】
録音処理、歌唱評価処理は、楽曲の再生が終了する（Ｓ４０３：Ｙｅｓ）まで継続され、楽曲の再生終了後、歌唱音声情報、評価情報が生成される。ユーザは、これら歌唱音声情報を確認するため試聴処理を選択することが可能である（Ｓ５０９）。試聴処理（Ｓ４０６）は、楽曲情報の再生に同期して、今回の楽曲再生処理で生成された歌唱音声情報を再生することで、ユーザに投稿の内容を確認させる処理である。なお、録音処理に代え、録画処理を行った場合には、撮影された歌唱映像情報が合わせて再生される。
【００５２】
ユーザは、生成した歌唱音声情報を投稿情報としてサーバ装置５にアップロードすることが可能である。投稿情報をアップロードすることが選択された場合（Ｓ５１１：Ｙｅｓ）、カラオケ装置２は、生成された歌唱音声情報、評価情報などを含めて投稿情報を形成し、通信手段としてのＬＡＮ通信部２４を介し、投稿情報をサーバ装置５にアップロードするアップロード処理（Ｓ４０８）を実行する。アップロードされる投稿情報には、図６（Ｂ）に示すように、楽曲識別情報、歌唱音声情報、評価情報などが含まれる。なお、投稿識別情報は、サーバ装置５で事後的に付与されることになる。
【００５３】
このような投稿再生処理にて投稿された投稿情報は、インターネット等を介して広く公開することが可能である。本実施形態では、この投稿情報に含まれる歌唱音声情報を使用して、評価再生処理時で使用するお手本情報に適用可能としている。
【００５４】
図１０には、本実施形態の評価再生処理を示すフロー図が示されている。カラオケ装置２は、楽曲の予約時に歌唱評価指定された場合、この評価再生処理（Ｓ５００）を実行する。評価再生処理が開始すると、カラオケ装置２は、楽曲情報とお手本情報の再生を開始する（Ｓ５０１）。楽曲情報に合わせて再生するお手本情報としては、楽曲情報に含まれる第１、第２お手本情報や、投稿情報に含まれる歌唱音声情報など、楽曲情報に対応したものが使用される。お手本情報としては、第１、第２お手本情報、投稿情報に含まれる歌唱音声情報のように、実際の歌唱を録音した形態の他、楽曲情報に含まれる基準音程情報を音響制御部２５にて、メロディ音として再生する形態であってもよい。初回に使用するお手本情報は、ランダムに選択する等、適宜形態を採用することが可能である。あるいは、初回には、お手本情報を再生しない形態としてもよい。
【００５５】
楽曲情報の再生が開始すると、楽曲情報中の区間情報で規定された区間毎の区間評価処理を開始する（Ｓ５０２）。本実施形態の評価再生処理では、区間評価情報が条件に適合しない場合、同区間の楽曲再生を繰り返し行う仕様となっている。そのため、ユーザが楽曲の再生を中止したい場合、リモコン装置１等の入力手段を使用して終了指示を出すことが可能となっている。評価再生処理では、この終了指示の入力を判定した場合（Ｓ５０３：Ｙｅｓ）、一連の評価再生処理を終了する。
【００５６】
１区間の再生が終了した場合（Ｓ５０４：Ｙｅｓ）、当該区間の区間評価情報が算出される（Ｓ５０５）。そして区間評価情報が条件に適合しているか否かが判定（Ｓ５０６）され、条件に適合している場合（Ｓ５０６：Ｙｅｓ）には、楽曲情報の再生を継続し、次の区間へと進む（Ｓ５０７）。一方、条件に適合していない場合（Ｓ５０６：Ｎｏ）には、条件を満たさなかった区間の開始位置に戻って楽曲情報の再生を行う（Ｓ５０９）。その際、合わせて再生していたお手本情報を他のお手本情報に変更する（Ｓ５１０）。このような形態により、使用したお手本情報がユーザに適していない場合、他のお手本情報に変更することが可能となり、次の歌唱時に区間評価情報を条件に適合させることが可能となる。ここで、次に使用するお手本情報として投稿情報を使用する場合、同じ区間について、算出された区間評価情報よりも良好な区間評価情報を有する投稿情報を使用することとしてもよい。あるいは、次の区間へと進むための条件に適合した区間評価情報を有する投稿情報を使用することとしてもよい。
【００５７】
また、本実施形態では、１区間の再生を終える毎（Ｓ５０４：Ｙｅｓ）に、区間評価情報の判定（Ｓ５０６）を行うこととしているが、歌唱中に随時区間評価情報が算出される形態では、区間評価情報が所定条件を満たさないと判定した時点で、当該区間の再生を終え、区間開始位置に戻る形態としてもよい。
【００５８】
図１１には、本実施形態の評価再生処理の概要を説明するための模式図が示されている。この模式図は、ある楽曲について評価再生処理を行ったときの様子を示した図である。この楽曲は、区間ａ〜区間ｆの６つの区間で構成されている。また、区間評価情報には点数（０〜１００点）を使用し、判定のための所定条件は、区間評価情報としての点数が、合格基準点８０点以上であることとしている。楽曲再生開始時には、お手本情報ａを使用している。最初の区間ａでは、合格基準点を上回っているため、そのまま、次の区間ｂへと進んで再生を行う。区間ｂの１回目の歌唱では、合格基準点を下回っため、お手本情報ａをお手本情報ｂに変更し、再度、区間ｂの再生を行う。区間ｂの２回目の歌唱において、合格基準点を上回ったため、次の区間ｃへと進む。区間ｃでは、１回目、２回目の歌唱において、合格基準点を下回ったため、それぞれ、お手本情報ｂからお手本情報ｃに、お手本情報ｃからお手本情報ｄに変更して、再度、区間ｃを再生する。区間ｃの３回目の歌唱において、合格基準点を上回ったため、お手本情報ｄのまま次の区間ｄに進む。
【００５９】
区間ｄでは、合格基準点を上回っているため、そのまま、次の区間ｅへと進んで再生を行う。区間ｅの１回目の歌唱では、合格基準点を下回ったため、お手本情報ｄをお手本情報ｅに変更し、再度、区間ｅの再生を行う区間ｅの２回目の歌唱において、合格基準点を上回ったため、次の区間ｆへと進む。区間ｆでは、１回目の歌唱において、合格基準点を上回っているため、楽曲の再生を終了する。このように本実施形態では、各区間において合格基準点を上回るまで、次の区間に進むことができず、ユーザは、同じ区間を何度も歌唱することになる。次の区間に進むことができない場合、お手本情報を変更して再生することで、ユーザに適したお手本情報を使用することが可能となる。
【００６０】
所定条件を満たすことができず、同じ区間の先頭に戻って再生を再開する場合、いきなり当該区間の先頭から再生を行った場合、ユーザはどこから歌唱してよいか分からないことが考えられる。そのため、区間の先頭に戻って再生を再開する場合には、当該区間よりも少し前の位置から再生を再開する、あるいは、一旦停止して、再生再開前にカウントダウンすることとしてもよい。また、区間の先頭に戻って再生を再開する場合、歌詞を表示しているモニタ４１に、条件を満たしていないことを理由として、再度、区間の再生を行う旨を伝えるメッセージを表示することとしてもよい。
【００６１】
また、本実施形態では、楽曲予約処理時に、投稿情報をダウンロードすることとしていたが、区間の再生回数によっては、お手本情報として使用する投稿情報が不足することが考えられる。そのため、区間の先頭に戻って再生を開始する前に、お手本情報として使用する歌唱音声情報（投稿情報に含まれている）を都度、ダウンロードすることとしてもよい。
【００６２】
最後まで、楽曲の再生が終了した場合（Ｓ５０８：Ｙｅｓ）、カラオケ装置２は、歌唱全体の評価である総合評価情報を算出する（Ｓ５１１）。この総合評価情報は、各区間で算出した区間評価情報を使用して算出することが考えられる。なお、評価再生処理では、同じ区間を複数回、歌唱しているため、同じ区間について、複数の区間評価情報が存在する場合がある。そのため、複数種類の総合評価情報を算出することとしてもよい。例えば、同じ区間中、最も良好な（あるいは、悪い）区間評価情報を使用して区間評価情報を算出する形態の他、区間評価情報の平均を使用することが考えられる。また、歌唱した回数を総合評価として提示することとしてもよい。
【００６３】
算出された総合評価情報は、モニタ４１に表示される。その際、各区間の区間評価情報を表示することとしてもよい。図１２には、本実施形態の評価結果画面を示す図が示されている。この評価結果画面に表示される評価結果は、図１１の模式図に対応したものである。この評価結果画面には、各区間について、最高得点（最も良好な区間評価情報）、最低得点（最も悪い区間評価情報）、歌唱回数が表形式で表示されている。また、総合結果には、総合得点（この場合、最高得点の平均値）の他、歌唱回数（区間ａ〜区間ｆの６回の歌唱で済むところ、１２回歌唱している）が表示されている。ユーザは、この評価結果画面によって、全体の歌唱評価と各区間についての歌唱評価を確認することが可能となる。
【符号の説明】
【００６４】
１…リモコン装置                  ２４…ＬＡＮ通信部
１１…タッチパネルモニタ          ２５…音響制御部
１１ａ…表示部                    ２７…メモリ
１１ｂ…タッチパネル              ２８…ビデオＲＡＭ
１２…ビデオＲＡＭ                ２９…映像再生部
１３…映像制御部                  ３０…ＣＰＵ
１４…メモリ                      ３１…映像制御部
１５…ＣＰＵ                      ３２…ＨＤＤ（ハードディスク）
１６…無線ＬＡＮ通信部            ４１…モニタ
１７…操作部                      ４２…スピーカ
１８…操作処理部                  ４４ａ、４４ｂ…マイクロホン
１９…赤外線通信部                ４５…カメラ
２…カラオケ装置（コマンダ）      ５…サーバ装置
２１…操作部                      ５１…記憶装置
２２…操作処理部                  １００…ＬＡＮ
２３…赤外線通信部                １１０…アクセスポイント
【図１】
0006292404.tif 000002
【図２】
0006292404.tif 000003
【図３】
0006292404.tif 000004
【図４】
0006292404.tif 000005
【図５】
0006292404.tif 000006
【図６】
0006292404.tif 000007
【図７】
0006292404.tif 000008
【図８】
0006292404.tif 000009
【図９】
0006292404.tif 000010
【図１０】
0006292404.tif 000011
【図１１】
0006292404.tif 000012
【図１２】
0006292404.tif 000013